(57)【要約】【課題】  受信装置におけるデータの受信漏れを回避することができる送信装置及び送信方法を提供する。【解決手段】  制御部８０２が記憶媒体８０１のＩＴＩセクタ内のアプリケーションＩＤを読み取った後、フォーマット変化検出部８０３は、制御部８０２が読み取ったアプリケーションＩＤに基づいて、記憶媒体８０１に記録されている映像データのフォーマットを判断する。つまり、記憶媒体８０１のフォーマットの変化をアプリケーションＩＤの値に基づいて検出する。そして、アプリケーションＩＤが変化してフォーマットが変化したことを検出すると、再生フォーマットがＳＤからＨＤに変化したことを、制御部８０２へ通知する。制御部８０２は、フォーマットの変化の通知を受けると、記憶媒体８０１に記録されているデータの再生を停止し、読み出し位置をフォーマット変化点へ移動させ、受信装置のステータスを確認する。【選択図】  図５
2006086592.tif 000002
【特許請求の範囲】
【請求項１】
複数フォーマットでの記録が可能な記憶媒体に記録されたデータを送信する送信装置であって、
前記記憶媒体からデータを読み出す制御手段と、
前記制御手段が読み出したデータを外部の受信装置に送信する送信手段と、
前記制御手段が読み出したデータのフォーマットの変化を検出するフォーマット変化検出手段と、
を有し、
前記制御手段は、前記送信手段がデータ送信を行っている時に、前記フォーマット変化検出手段がフォーマットの変化を検出すると、データの読み出し動作を変更するとともに前記受信装置のステータスを確認することを特徴とする送信装置。
【請求項２】
前記送信手段は、デジタルインタフェースを介して前記受信装置に前記データをストリーミング送信することを特徴とする請求項１に記載の送信装置。
【請求項３】
前記受信装置のステータス情報を取得する取得手段を有し、
前記制御手段は、前記送信手段がデータ送信を行っている時に、前記フォーマット変化検出手段がフォーマットの変化を検出し、且つ、当該フォーマットの変化を検出した後に前記取得手段が取得した受信装置のステータス情報から判別されるステータスが所望の状態と違うときは、データの読み出し停止することを特徴とする請求項２に記載の送信装置。
【請求項４】
前記受信装置のステータス情報を取得する取得手段を有し、
前記制御手段は、前記送信手段がデータ送信を行っている時に、前記フォーマット変化検出手段がフォーマットの変化を検出し、且つ、当該フォーマットの変化を検出した後に前記取得手段が取得した受信装置のステータス情報から判別されるステータスが所望の状態となっているときは、データの読み出し動作をフォーマット変化に基づく位置から再開することを特徴とする請求項２に記載の送信装置。
【請求項５】
前記制御手段が前記記憶媒体からの読み出しを停止している間、送信パケットを送出しないことを特徴とする請求項１乃至４のいずれか１項に記載の送信装置。
【請求項６】
前記制御手段が前記記憶媒体からの読み出しを停止している間、フォーマット変化前のフォーマットで、データが空の送信パケットを送出することを特徴とする請求項１乃至４のいずれか１項に記載の送信装置。
【請求項７】
前記制御手段が前記記憶媒体からの読み出しを停止している間、フォーマット変化後のフォーマットで、データが空の送信パケットを送出することを特徴とする請求項１乃至４のいずれか１項に記載の送信装置。
【請求項８】
前記送信手段は、ＤＶフォーマットに従ったデータ及びＭＰＥＧフォーマットに従ったデータを切り替えて送出可能であることを特徴とする請求項１乃至７のいずれか１項に記載の送信装置。
【請求項９】
前記フォーマット変化検出手段は、前記記録媒体に記録されたトラックの所定領域内のビットの変化を検出することにより、フォーマットが変化したと判断することを特徴とする請求項１乃至８のいずれか１項に記載の送信装置。
【請求項１０】
指定されたフォーマットに従ったデータのみを送信する指定フォーマット送信モードを設定する設定手段を備え、前記フォーマット変化検出手段は、前記指定フォーマット送信モードが設定又は解除されると、フォーマットが変更したと判断することを特徴とする請求項１乃至８のいずれか１項に記載の送信装置。
【請求項１１】
複数フォーマットでの記録が可能な記憶媒体に記録されたデータを送信する送信方法であって、
前記記憶媒体からデータを読み出す読み出し工程と、
前記読み出し工程において読み出したデータを外部の受信装置に送信する送信工程と、
前記読み出し工程において読み出したデータのフォーマットが変化すると、データの読み出しを変更する読み出し変更工程と、
前記読み出し変更工程でデータの読み出しを変更した後、前記受信装置のステータスを確認する確認工程と、
を有することを特徴とする送信方法。
【請求項１２】
コンピュータに、複数フォーマットでの記録が可能な記憶媒体に記録されたデータを送信する送信装置の制御を行わせるプログラムであって、
コンピュータに、
前記記憶媒体からデータを読み出す読み出し手順と、
前記読み出し手順において読み出したデータを外部の受信装置に送信する送信手順と、
前記読み出し手順において読み出したデータのフォーマットが変化すると、データの読み出しを変更する読み出し変更手順と、
前記読み出し変更手順でデータの読み出しを変更した後、前記受信装置のステータスを確認する確認手順と、
を実行させることを特徴とするプログラム。
【発明の詳細な説明】
【技術分野】
【０００１】
本発明は、複数のフォーマットデータを出力する送信装置及び送信方法に関する。
【背景技術】
【０００２】
従来のデジタルビデオカメラ（ＤＶフォーマット）には、ＳＤ（Standard Definition）方式で映像データが記録されていた。
【０００３】
また、現在、一つの記憶媒体上に上記ＤＶフォーマットだけでなく、ＤＶとは異なるＭＰＥＧフォーマットでＨＤ（High Definition）方式の映像を記録する方式が提案されている（例えば、特許文献１）。
【０００４】
【特許文献１】特開２００１−２７５０７６号公報（第１２頁、図７）
【発明の開示】
【発明が解決しようとする課題】
【０００５】
ところで、ＳＤ方式及びＨＤ方式が混在して記録された記憶媒体をデジタルビデオカメラ（送信装置）が再生し、それを複数フォーマットに対応した受信装置で受信するシステムを考えた場合、再生時のフォーマットの変化に対応して受信装置は何らかの方法で受信処理の方式を切り替える必要がある。
【０００６】
例えばＩＥＥＥ１３９４シリアルバスの同期転送（アイソクロナス転送）モードでデータ伝送する場合、データ送信開始前であれば、図３に示すようなOutput Plug Signal Formatのステータスコマンドを伝送することにより、受信装置は予め送信される映像フォーマットに合わせた設定を行うことができるが、再生中にフォーマットが切り替わるようなときは、受信中のアイソクロナスデータパケットからフォーマットの変化を検知し、フォーマットが変化したと検知してから、新たなフォーマットに対応する受信処理に切り替えて受信を継続することになる。
【０００７】
しかしながら、受信装置が受信したアイソクロナスデータのフォーマットに応じて受信データ処理部を変更する場合には、フォーマットが変化してから受信データ処理部の変更期間が完了するまでのデータが失われてしまい、送信装置から送信されるデータを完全に受信できないという問題がある。つまり、図１０に示すように、受信装置は、その処理部変更４０１及び４０２の間に送信されてきたデータを受信することができないのである。
【０００８】
本発明は、受信装置におけるデータの受信漏れを回避することができる送信装置及び送信方法を提供することを目的とする。
【課題を解決するための手段】
【０００９】
本願発明者は、前記課題を解決すべく鋭意検討を重ねた結果、以下に示す発明の諸態様に想到した。
【００１０】
本願発明に係る送信装置は、複数フォーマットでの記録が可能な記憶媒体に記録されたデータを送信する送信装置であって、前記記憶媒体からデータを読み出す制御手段と、前記制御手段が読み出したデータを外部の受信装置に送信する送信手段と、前記制御手段が読み出したデータのフォーマットの変化を検出するフォーマット変化検出手段と、を有し、前記制御手段は、前記送信手段がデータ送信を行っている時に、前記フォーマット変化検出手段がフォーマットの変化を検出すると、データの読み出し動作を変更するとともに前記受信装置のステータスを確認することを特徴とする。
【００１１】
本願発明に係る送信方法は、複数フォーマットでの記録が可能な記憶媒体に記録されたデータを送信する送信方法であって、前記記憶媒体からデータを読み出す読み出し工程と、前記読み出し工程において読み出したデータを外部の受信装置に送信する送信工程と、前記読み出し工程において読み出したデータのフォーマットが変化すると、データの読み出しを変更する読み出し変更工程と、前記読み出し変更工程でデータの読み出しを変更した後、前記受信装置のステータスを確認する確認工程と、を有することを特徴とする。
【００１２】
本願発明に係るプログラムは、コンピュータに、複数フォーマットでの記録が可能な記憶媒体に記録されたデータを送信する送信装置の制御を行わせるプログラムであって、コンピュータに、前記記憶媒体からデータを読み出す読み出し手順と、前記読み出し手順において読み出したデータを外部の受信装置に送信する送信手順と、前記読み出し手順において読み出したデータのフォーマットが変化すると、データの読み出しを変更する読み出し変更手順と、前記読み出し変更手順でデータの読み出しを変更した後、前記受信装置のステータスを確認する確認手順と、を実行させることを特徴とする。
【発明の効果】
【００１３】
本発明によれば、送信するデータのフォーマットが変化すると、データの読み出しを変更するとともに受信装置のステータスを確認することにより、受信装置においてデータ処理方式が変更されたか確認してから次の動作を適切に行えるので、受信装置におけるデータの受信漏れを回避することができるとともに受信されないままデータが送信され続けることがなくなる。
【発明を実施するための最良の形態】
【００１４】
以下、本発明の実施形態について添付の図面を参照して具体的に説明する。
【００１５】
（第１の実施形態）
先ず、本発明の第１の実施形態について説明する。図１は、本発明の第１の実施形態に係る送信装置を備えたビデオ送受信システムを示す模式図である。
【００１６】
図１に示すように、本実施形態では、複数フォーマット対応の２台のデジタルビデオカメラ１０２及び１０３が、ＩＥＥＥ１３９４ケーブル１０１を介して互いに接続されたシステムを想定している。以下の説明では、デジタルビデオカメラ１０２が送信装置として機能し、デジタルビデオカメラ１０３が受信装置として機能するものとする。デジタルビデオカメラ１０２は、各種の制御コマンドによって再生コントロールされ、記憶媒体から読み出されたデータをそのＩＥＥＥ１３９４端子（図示せず）よりＩＥＥＥ１３９４ケーブル１０１を介してアイソクロナスデータとしてストリーミング出力する。なお、ＩＥＥＥ１３９４に限らず、ＵＳＢや無線通信を用いても良い。
【００１７】
また、デジタルビデオカメラ１０２には、記憶媒体として磁気テープが収められている。図２は、磁気テープの概略的な記録内容を示す図である。ここでは、ＳＤ（ＤＶフォーマット）のデータ３０１及び３０３の間に、ＨＤ（ＭＰＥＧフォーマット）のデータ３０２が記録されているものとする。従って、これらの間には、フォーマット変化点３０４が存在している。
【００１８】
図９は、磁気テープの１トラックにおけるセクタの構成を示す図である。図９に示すように、１トラック内には、ＩＴＩ（Insert and Track Information）セクタが設定されており、このＩＴＩセクタ内にＴＩＡセクタ（Track Information Area）が配置されている。このＴＩＡセクタには、フォーマットを表す情報、ＳＰモード又はＬＰモードであることを表す情報、１フレームのパイロット信号のパターンを表す情報等が記録されている。ＴＩＡセクタ内に記録されるフォーマットを表わす情報は、図４に示すようなＡＰＴ２ビット、ＡＰＴ１ビット及びＡＰＴ０ビットの３ビットからなるアプリケーションＩＤによって表される。例えば、ＡＰＴ２、ＡＰＴ１及びＡＰＴ０のビットが「０００」である場合は民生用のＤＶフォーマットであることを示し、「１１１」である場合はＨＤであることを示す。
【００１９】
図５は、第１の実施形態において送信装置として機能するデジタルビデオカメラ１０２の機能的な構成を示す図である。制御部８０２は、複数フォーマットを記録可能な記憶媒体８０１からのデータの読み出し位置の制御や、データ再生、データ再生停止、データ再生待機等の記憶媒体の制御を行う。フォーマット変化検出部８０３は、制御部８０２が記憶媒体８０１から読み出したデータのフォーマットを監視し、フォーマットの変化を検出する。送信部８０４は制御部が記憶媒体８０１から読み出したデータを、受信装置であるデジタルビデオカメラ１０３へ送信する。データの再生中、再生データのフォーマットが変化したならば、送信部８０４は変化後のフォーマットに対応して内部の処理方式を切り替えて、引き続きフォーマット変化後の再生データのデータ出力を行える。
【００２０】
次に、上述のように構成されたデジタルビデオカメラ１０２の動作について、図６に示すフローチャートを参照しながら説明する。ここでは、デジタルビデオカメラ１０２が、デジタルビデオカメラ１０３に対して図２に示す磁気テープのＳＤ３０１からＨＤ３０２にかけての映像データを再生する動作について説明する。
【００２１】
デジタルビデオカメラ１０２がＳＤ３０１の映像データをＤＶフォーマットで再生し始めると、デジタルビデオカメラ１０２内の送信部８０４が再生されるデータをデジタルビデオカメラ１０３に送信すると共に、制御部８０２が磁気テープ（記憶媒体８０１）のＩＴＩセクタ内のアプリケーションＩＤをトラック毎に読み取る（ステップＳ７０１）。
【００２２】
次いで、フォーマット変化検出部８０３は、制御部８０２が読み取ったアプリケーションＩＤに基づいて、磁気テープに記録されている映像データのフォーマットを判断する（ステップＳ７０２）。つまり、本実施形態では、磁気テープのフォーマットの変化をアプリケーションＩＤの値に基づいて検出する。
【００２３】
そして、アプリケーションＩＤが「０００」から「１１１」へと変化してフォーマットが変化したことを検出すると、再生中のデータの映像フォーマットがＳＤ３０１からＨＤ３０２に変化したことを、制御部８０２へ通知する（ステップＳ７０３）。
【００２４】
制御部８０２は、フォーマットの変化の通知を受けると、記憶媒体８０１に記録されているデータの再生を停止する（ステップＳ７０４）。
【００２５】
次に、制御部８０２は、記憶媒体８０１からの読み出し位置を、フォーマット変化点３０４へ移動させる（ステップＳ７０５）。
【００２６】
続いて、制御部８０２が再生待機状態になり、この間、デジタルビデオカメラ１０３のステータスを確認する（ステップＳ７０６）。ここでいうステータスとは、デジタルビデオカメラ１０３の動作状態のことであり、ステータスを確認することによりデジタルビデオカメラ１０３がフォーマット変化後のデータを記録可能な状態であるかどうかを知ることができる。ステータスの確認方法としては、デジタルビデオカメラ１０２からデジタルビデオカメラ１０３へステータスを調査するためのコマンドを発行して確認するか、デジタルビデオカメラ１０３からデジタルビデオカメラ１０２へ再生コントロールを受けるか、或いはユーザからの指示入力などで確認する。この後、デジタルビデオカメラ１０３のステータスが所望の状態（例えば、フォーマット変化後のデータを記録する為に記録スタンバイした状態）であるとき、前記再生コントロールを受信するか、ユーザにより再生指示が行われたならば、変化後のデータの再生及び出力を開始できる。一方、デジタルビデオカメラ１０３のステータスが所望の状態でないときは、再生及び出力をそのまま停止する。
【００２７】
なお、ＨＤ３０２からＳＤ３０３にかけての映像データを再生する動作も同様にして行われる。
【００２８】
このような第１の実施形態によれば、フォーマットの変更に合わせて再生を停止して受信装置のステータスを確認するため、受信装置（デジタルビデオカメラ１０３）は、受信しているデータのフォーマットが変更される場合であっても、自らの受信データ処理部の変更を完了した後に、自らの所望のタイミングでフォーマット変化後の先頭からのデータを受信することができる。従って、受信しようとする全てのデータを受信することができる。
【００２９】
（第２の実施形態）
次に、本発明の第２の実施形態について説明する。本実施形態では、送信装置として機能するデジタルビデオカメラ１０２の機能的な構成が第１の実施形態と相違している。図７は、第２の実施形態において送信装置として機能するデジタルビデオカメラ１０２の機能的な構成を示す図である。
【００３０】
本実施形態では、デジタルビデオカメラ１０２に、記憶媒体８０１、制御部８０２、フォーマット変化検出部８０３及び送信部８０４の他に、受信装置状態取得部９０５が設けられている。受信装置状態取得部９０５は、送信部８０４を介して、受信装置であるデジタルビデオカメラ１０３に、そのステータス（状態）を問い合わせるコマンドを送信し、受信装置からの返信を確認することで受信装置のステータス情報を取得する。なお、第１の実施形態の図５で説明した構成と同符号のブロックについては第１の実施形態での説明と同様なので省略する。
【００３１】
次に、上述のように構成されたデジタルビデオカメラ１０２の動作について、図８に示すフローチャートを参照しながら説明する。ここでは、デジタルビデオカメラ１０２が、デジタルビデオカメラ１０３に対して図２に示す磁気テープのＳＤ３０１からＨＤ３０２にかけての映像データを再生する動作について説明する。
【００３２】
デジタルビデオカメラ１０１がＳＤ３０１の映像データをＤＶフォーマットで再生し始めると、デジタルビデオカメラ１０２内の送信部８０４が再生されるデータをデジタルビデオカメラ１０３に送信すると共に、送信中に短いサイクルで定期的に受信装置状態取得部９０５が受信装置に対して機器の状態を問い合わせる（ステップＳ７１１）。ここでの機器の状態には、例えば記録状態、停止状態及び記録待機状態等が含まれる。また、制御部８０２が磁気テープ（記憶媒体８０１）のＩＴＩセクタ内のアプリケーションＩＤを読み取る（ステップＳ７０１）。
【００３３】
次いで、フォーマット変化検出部８０３は、制御部８０２が読み取ったアプリケーションＩＤに基づいて、磁気テープに記録されている映像データのフォーマットを判断する（ステップＳ７０２）。つまり、本実施形態でも、磁気テープのフォーマットの変化をアプリケーションＩＤの値に基づいて検出する。
【００３４】
そして、アプリケーションＩＤが変化してフォーマットが変化したことを検出すると、再生フォーマットがＳＤ３０１からＨＤ３０２に変化したことを、制御部８０２へ通知する（ステップＳ７０３）。
【００３５】
制御部８０２は、受信装置状態取得部９０５で取得しているステータス情報から、フォーマットの変化を受けて、受信装置であるデジタルビデオカメラ１０３に生じた動作状態の変化を確認する。すなわち、フォーマットの変化の通知を受けると、送信中に記録状態であった受信装置が、フォーマット変化後に停止状態又は記録待機状態に変化しているか判定する（ステップＳ７１２）。
【００３６】
そして、このような状態変化がある場合には、制御部８０２は記憶媒体８０１に記録されているデータの再生を停止する（ステップＳ７０４）。
【００３７】
次に、制御部８０２は、記憶媒体８０１からの読み出し位置を、フォーマット変化点３０４へ移動させる（ステップＳ７０５）。
【００３８】
続いて、制御部８０２が再生待機状態になり、受信装置であるデジタルビデオカメラ１０３からの新たな再生コントロールを受けるか、ユーザにより再度再生が開始されるまで待機する（ステップＳ７０６）。この後、ステータス情報から判断されるデジタルビデオカメラ１０３のステータスが所望の状態（例えば、フォーマット変化後のデータを記録する為に記録スタンバイした状態又は停止状態）であるとき、前記再生コントロールを受信するか、ユーザにより再生指示が行われたならば、変化後のデータの再生及び出力を開始できる。一方、デジタルビデオカメラ１０３のステータスが所望の状態でないとき（例えば、フォーマット変化後のデータを記録できる状態でないとき）は、再生及び出力をそのまま停止する。
【００３９】
なお、ＨＤ３０２からＳＤ３０３にかけての映像データを再生する動作も同様にして行われる。
【００４０】
このような第２の実施形態によれば、フォーマットの変更及び受信装置の状態に合わせて再生を停止するため、受信装置（デジタルビデオカメラ１０３）は、第１の実施形態と同様に、受信しているデータのフォーマットが変更される場合であっても、自らの受信データ処理部の変更を完了した後に、自らの所望のタイミングでフォーマット変化後の先頭からのデータを受信することができる。従って、受信装置は、データ損失を生じさせることなく、受信しようとする全てのデータを記録することができる。一方、受信装置が記録状態となっていない場合には、フォーマットの変化点で再生を止めることがなくなる。
【００４１】
なお、第１及び第２の実施形態のいずれにおいても、制御部８０２が記憶媒体８０１からの読み出しを停止している間、送信パケットを受信装置に送出しないようにしてもよい。また、フォーマット変化前に送出していたフォーマットで、データが空の送信パケットを送出してもよく、フォーマット変化後のフォーマットで、データが空の送信パケットを送出してもよい。
【００４２】
また、処理可能なフォーマットとしては、例えばＳＤ（ＳＤＬを含む）、ＨＤが挙げられ、送信部８０４は、フォーマットがＳＤの場合はＤＶフォーマットとしてデータを送信し、フォーマットがＨＤの場合はＭＰＥＧフォーマットとしてデータを送信することができる。
【００４３】
また、フォーマット変更検出部８０３による判定の基準は特に限定されることはなく、例えば、ＩＴＩセクタのＡＰＴ２ビット、ＡＰＴ１ビット及びＡＰＴ３ビットが、「０００」から「１１１」に変化したとき及び「１１１」から「０００」に変化したときに、フォーマットが変化したと判断してもよい。また、内部的に指定されたフォーマットのみを送信する指定フォーマット送信モード（例えば、ＭＰＥＧ又はＤＶのいずれかのフォーマットに従ったデータのみを送出可能とするモード）を設定しておき、指定フォーマット送信モードが設定又は解除されると、フォーマットが変更したと判断してもよい。更に、このような指定フォーマット送信モードの切り替え処理を行うためのユーザインタフェース（モード設定部）を設けておき、このユーザインタフェースを介して指定フォーマット送信モードが設定又は解除されると、フォーマットが変更したと判断してもよい。
【００４４】
なお、本発明の実施形態は、例えばコンピュータがプログラムを実行することによって実現することができる。また、プログラムをコンピュータに供給するための手段、例えばかかるプログラムを記録したＣＤ−ＲＯＭ等のコンピュータ読み取り可能な記録媒体又はかかるプログラムを伝送するインターネット等の伝送媒体も本発明の実施形態として適用することができる。また、上記のプログラムも本発明の実施形態として適用することができる。上記のプログラム、記録媒体、伝送媒体及びプログラムプロダクトは、本発明の範疇に含まれる。
【図面の簡単な説明】
【００４５】
【図１】本発明の第１の実施形態に係る送信装置を備えたビデオ送受信システムを示す模式図である。
【図２】磁気テープの概略的な記録内容を示す図である。
【図３】磁気テープの１トラックにおけるセクタの構成を示す図である。
【図４】ＴＩＡ内のアプリケーションＩＤを示す図である。
【図５】第１の実施形態において送信装置として機能するデジタルビデオカメラ１０２の機能的な構成を示す図である。
【図６】第１の実施形態におけるデジタルビデオカメラ１０２の動作を示すフローチャートである。
【図７】第２の実施形態において送信装置として機能するデジタルビデオカメラ１０２の機能的な構成を示す図である。
【図８】第２の実施形態におけるデジタルビデオカメラ１０２の動作を示すフローチャートである。
【図９】Output Plug Signal Formatステータスコマンドを示す図である。
【図１０】送信データのフォーマットと受信装置の処理との関係を示す図である。
【符号の説明】
【００４６】
１０１：ＩＥＥＥ１３９４ケーブル
１０２：デジタルビデオカメラ（送信装置）
１０３：デジタルビデオカメラ（受信装置）
８０１：記憶媒体
８０２：制御部
８０３：フォーマット検出部
８０４：送信部
９０５：受信装置状態取得部
【図１】
2006086592.tif 000003
【図２】
2006086592.tif 000004
【図３】
2006086592.tif 000005
【図４】
2006086592.tif 000006
【図５】
2006086592.tif 000007
【図６】
2006086592.tif 000008
【図７】
2006086592.tif 000009
【図８】
2006086592.tif 000010
【図９】
2006086592.tif 000011
【図１０】
2006086592.tif 000012